(57)【要約】【課題】デジタル音声放送の番組の切り替わりやチャネル切り替えに伴い放送サービスが映像を伴うものに切り替わっても、ユーザが音声のみを受信していた場合には気付かずに見逃す可能性がある。【解決手段】放送サービスが切り替わった際にはその内容を音声で通知する機能を付加することにより、ユーザが地上デジタル音声放送受信装置を例えばポケットや鞄に入れる等して音声のみで受信している際に、番組の切り替えがあるかもしくはチャネル切り替えを行うかしても、連動する放送サービスの内容を把握できる。【選択図】図１
2008252198.tif 000002
【特許請求の範囲】
【請求項１】
放送波を受信して受信放送波を出力するアンテナと、
前記受信放送波から視聴を所望するデジタル音声放送のチャネルの信号を抽出しＯＦＤＭ復調処理とエラー訂正処理を行いトランスポートストリームとして出力するデジタル音声放送チューナと、
前記トランスポートストリームから映像信号部分を抽出しビデオトリームとして出力し、音声信号部分を抽出しオーディオストリームとして出力し、文字放送並びにデータ放送部分を抽出し文字・データ放送ストリームとして出力する多重分離手段と、
前記トランスポートストリームに内包されるサービスの切り替わりを検出し、検出したサービスの内容をサービス情報として出力するサービス切り替え判定手段と、
前記サービス情報が変化した際にその内容を示す音声データを生成し、ガイド音声信号として出力するガイド音声生成手段と、
前記ビデオストリームを復号し映像デコード信号として出力する映像デコード手段と、
前記文字・データ放送ストリームを復号し文字・データ放送デコード信号として出力する文字・データ放送デコード手段と、
前記オーディオストリームを復号し音声デコード信号として出力する音声デコード手段と、
前記ガイド音声信号が入力された場合にはその信号を音声信号として出力し、ガイド音声信号が無信号である場合には、音声デコード信号を音声信号として出力する音声合成手段と、
前記映像デコード信号と文字・データ放送デコード信号のいずれか一つまたは両方を表示可能となるよう合成し映像信号として出力する映像合成手段と、
前記受信映像信号の表示を行う表示手段と、
前記音声信号を音声に変換して出力する音声出力手段と
を備えることを特徴とするデジタル音声放送受信装置。
【発明の詳細な説明】
【技術分野】
【０００１】
本発明は、地上デジタル音声放送受信装置の利便性の向上に関するものである。
【背景技術】
【０００２】
地上デジタル音声（デジタルラジオ）放送は、ノイズの影響を受けにくく安定した移動体受信が可能で、地上デジタルテレビの１セグ受信機とも共用可能な新しいサービスである。
【０００３】
この地上デジタル音声放送のサービスは、音声のみならず動画・静止画・文字放送・データ放送・ダウンロードサービス等を含む幅広いサービスを想定している。特に放送に使用する帯域が１セグメントである場合には音声とそれに連動した静止画やテキスト等を放送し、使用する帯域が３セグメントである場合には音声２チャンネルとニュース１チャンネルの３チャンネルを構成し、さらにそれらに連動した動画・静止画・５．１ｃｈ音声・ダウンロード等のサービスを時間帯に応じて多様に提供していくことが計画されている。
【０００４】
そのため受信機としても映像・音声の両方が再生できることが期待されている。
【０００５】
しかしながらユーザは映像・音声の再生が可能な受信機であっても、音声と連動する様々なサービスに特に興味がない場合は、受信機の映像表示画面は見ずに受信することも想定される。このような場合、ユーザが音声のみ受信している状態で番組の切り替わりやチャネル切り替え時において連動する放送サービスがユーザの興味あるものに切り替わっても、そのことに気づかない可能性がある。
【０００６】
放送される音声サービスの内容をユーザに明示的に通知する手段としては、従来のラジオ受信装置においては、音声がステレオかモノラルかを表示する機能が提案されている（例えば特許文献１）。
【０００７】
しかしながらこのような提案はあくまで状態表示を行う手段をユーザが目視で確認できる場合にのみ有効である。
【特許文献１】特開昭６３−２６３８４２号公報
【発明の開示】
【発明が解決しようとする課題】
【０００８】
本発明が解決しようとする課題は、ユーザが地上デジタル音声放送受信装置を例えばポケットや鞄に入れる等して音声のみで受信している際、デジタル音声放送の番組の切り替わりやチャネル切り替え時において、連動する放送サービスがユーザの興味あるものに切り替わっても、そのことに気づかず折角のサービスが視聴できなくなる可能性があるということである。
【課題を解決するための手段】
【０００９】
本発明は、デジタル音声放送の番組の切り替わりやチャネル切り替え時において、サービスの内容を音声で通知することを、最も主要な特徴とする。
【発明の効果】
【００１０】
本発明の地上デジタル音声放送受信装置は、デジタル音声放送の番組の切り替わりやチャネル切り替え時においてサービスの内容を音声で通知する機能を設けることで、ユーザが地上デジタル音声放送受信装置を例えばポケットや鞄に入れる等して音声のみで受信している際に、番組の切り替えがあるかもしくはチャネル切り替えを行うかしても、連動する放送サービスの内容を把握できるため利便性を向上できる。
【発明を実施するための最良の形態】
【００１１】
以下、本発明を実施するための最良の形態について、図面を参照しながら説明する。
【００１２】
図１は、本発明の実施の形態の構成図である。
【００１３】
図１において、１０１はアンテナ、１０２はデジタル音声放送チューナ、１０３は多重分離手段、１０４はサービス切り替え判定手段、１０５はガイド音声生成手段、１０６は映像デコード手段、１０７は文字・データ放送デコード手段、１０８は音声デコード手段、１０９は音声合成手段、１１０は映像合成手段、１１１は表示手段、１１２は音声出力手段である。
【００１４】
以上のように構成した地上デジタル音声放送受信装置の動作を順に示す。
【００１５】
アンテナ１０１は、地上デジタル音声放送帯域の電波を受信し受信放送波として出力する。
【００１６】
デジタル音声放送チューナ１０２は、受信放送波から視聴を希望するチャンネル帯域の信号を抽出し、ＯＦＤＭ復調と誤り訂正を行いトランスポートストリームとして出力する。
【００１７】
多重分離手段１０３は、トランスポートストリームに内包された映像信号部分を抽出しビデオストリームとして出力し、トランスポートストリームに内包された音声信号部分を抽出しオーディオストリームとして出力し、トランスポートストリームに内包された文字・データ放送部分を抽出し文字・データ放送ストリームとして出力する。映像信号部分として抽出されるものには、動画及び静止画が含まれる。
【００１８】
サービス切り替え判定手段１０４は、トランスポートストリームに内包されるサービスの切り替わりを検出しその内容をサービス情報として出力する。地上デジタル音声放送において、ユーザに提供される映像・音声・文字・データ放送等のコンテンツは、スケジュール化された放送番組の連続としてサービス（編成チャネル）と称される。これらのサービスは、トランスポートストリーム内に内包され、かつ各サービスに対してユニークに割り当てられるサービスＩＤによって特定可能である。本実施の形態では、サービスの切り替わりをサービスＩＤの切り替わりによって検出する。またサービス情報には、音声放送に連動するデータ放送、文字放送、５．１ｃｈ音声等を示す情報を含むものとする。このサービス情報にはこれ以外に番組名等のサービスに関連する情報を加えても良い。
【００１９】
ガイド音声生成手段１０５は、サービス情報が変化した際に、その内容をユーザに音声で通知するための音声データを生成し、ガイド音声信号として出力する。
【００２０】
映像デコード手段１０６は、ビデオストリームの復号を行い、この結果を映像デコード信号として出力する。
【００２１】
文字・データ放送デコード手段１０７は、文字・データ放送ストリームの復号を行い、この結果を文字・データ放送デコード信号として出力する。
【００２２】
音声デコード手段１０８は、オーディオストリームの復号を行い、この結果を音声デコード信号として出力する。
【００２３】
音声合成手段１０９は、ガイド音声信号が入力された場合にはその信号を音声信号として出力し、ガイド音声信号が無信号（無音）である場合には、音声デコード信号を音声信号として出力する。
【００２４】
またガイド音声が無音でないには、ガイド音声と音声デコード信号の両方が聞こえるようにミキシングし音声信号として出力しても良い。
【００２５】
映像合成手段１１０は、映像デコード信号と文字・データ放送デコード信号のいずれか一つまたは両方を表示可能となるよう合成し映像信号として出力する。
【００２６】
表示手段１１１は、受信映像信号の表示を行う。具体的にはＬＣＤや有機ＥＬ、無機ＥＬ等の表示デバイスである。場合によっては表示手段１１１は複数の表示デバイスで構成しても良い。
【００２７】
音声出力手段１１２は、音声信号を実際の音声として出力する。具体的にはスピーカはイヤホン、ヘッドホン等である。
【００２８】
このような実施の形態を採用したので、デジタル音声放送の番組の切り替わりやチャネル切り替え時においてサービスの内容を音声で通知することができるため、ユーザが地上デジタル音声放送受信装置を例えばポケットや鞄に入れる等して音声のみで受信している際に番組の切り替えがあるかもしくはチャネル切り替えを行うかしても、連動する放送サービスの内容を把握できる。
【００２９】
なお本実施の形態ではダウンロードサービスの処理については記載していないが、ダウンロードサービスに対応したデジタル音声放送受信機であっても同様の効果を得ることができる。
【産業上の利用可能性】
【００３０】
本発明の地上デジタル音声放送受信装置は、ユーザの嗜好や使用状況によって音声のみを聴くことが想定されるような受信装置における利便性を向上されるものであるため、携帯電話や携帯情報端末（ＰＤＡ）等を含む携帯型の受信装置として特に有用である。
【図面の簡単な説明】
【００３１】
【図１】地上デジタル音声放送受信装置の実施方法を示した構成図
【符号の説明】
【００３２】
１０１  アンテナ
１０２  デジタル音声放送チューナ
１０３  多重分離手段
１０４  サービス切り替え判定手段
１０５  ガイド音声生成手段
１０６  映像デコード手段
１０７  文字・データ放送デコード手段
１０８  音声デコード手段
１０９  音声合成手段
１１０  映像合成手段
１１１  表示手段
１１２  音声出力手段
【図１】
2008252198.tif 000003